(57)【特許請求の範囲】
【請求項１】
光ディスクにレーザ光を出射し前記光ディスクの記録面で反射した前記レーザ光を受光する光ピックアップと、前記光ピックアップを前記光ディスクの半径方向に駆動する回転駆動力を発生するフィードモータと、前記フィードモータに直接またはギアを介して接続され側面にらせん状の溝を備えたスクリューシャフトと、前記光ピックアップを移動自在に支持する１対のガイドシャフトと、前記光ピックアップに取り付けられる取り付け部と前記スクリューシャフトの溝と噛み合い前記回転駆動力を直線駆動力に変換する歯を有する歯部と前記取り付け部と前記歯部とを前記レーザ光を出射する側または反対側の少なくとも一方から連結するヒンジとを備えたラックと、を備え、前記ヒンジに隣接して前記取り付け部に前記スクリューシャフトに向けて突出した凸部を設け、前記凸部の前記ヒンジに対向する面はスクリューシャフトに近づくほど前記ヒンジに近づき前記歯部の前記スクリューシャフトに対向する面よりもわずかに前記スクリューシャフトに近づくことを特徴とする光ディスク装置。
【請求項２】
光ディスクにレーザ光を出射し前記光ディスクの記録面で反射した前記レーザ光を受光する光ピックアップと、前記光ピックアップを前記光ディスクの半径方向に駆動する回転駆動力を発生するフィードモータと、前記フィードモータに直接またはギアを介して接続され側面にらせん状の溝を備えたスクリューシャフトと、前記光ピックアップを移動自在に支持する１対のガイドシャフトと、前記光ピックアップに取り付けられる取り付け部と前記スクリューシャフトの溝と噛み合い前記回転駆動力を直線駆動力に変換する歯を有する歯部と前記取り付け部と前記歯部とを前記レーザ光を出射する側または反対側の少なくとも一方から連結するヒンジとを備えたラックと、を備え、前記ヒンジに隣接して前記取り付け部に前記スクリューシャフトに向けて突出した凸部を設け、前記凸部の前記ヒンジに対向する面と前記ヒンジとの距離は前記スクリューシャフト側で短く、前記凸部の前記ヒンジに対向する面と前記スクリューシャフトとの距離のうちもっとも短い距離は前記歯部の前記スクリューシャフトに対向する面と前記スクリューシャフトとの距離よりもわずかに短いことを特徴とする光ディスク装置。
【発明の詳細な説明】
【技術分野】
【０００１】
本発明はパーソナルコンピュータ（以下、ＰＣという。）、特に可搬型のノートブック型ＰＣに搭載される光ディスク装置に関するものである。
【背景技術】
【０００２】
従来、特に可搬型のノートブック型ＰＣに搭載される光ディスク装置は人によって運搬される機会が多く、落下等によっても機能が損なわれないような配慮がなされてきた。図８は従来の光ディスク装置の光ディスクおよび光ピックアップを駆動する駆動機構の構成図、図９はラックを介して光ピックアップとスクリューシャフトが接続された状態を示す図である。光ディスク装置の光ディスク（図示せず）および光ピックアップ１０７を駆動する駆動機構を光ピックアップモジュール１００という。光ピックアップ１０７は光ディスクにレーザ光を出射し、光ディスクの記録面で反射されたレーザ光を受光する。ベース１０１は光ピックアップモジュール１００の骨組みを成すもので、このベース１０１に直接的、間接的に各構成部品が固定される。光ディスクを載置するターンテーブルを備えたスピンドルモータ１０２はベース１０１に固定される。スピンドルモータ１０２は光ディスクを回転させる回転駆動力を生成する。
【０００３】
フィードモータ１０３はベース１０１に固定される。フィードモータ１０３は光ピックアップ１０７が光ディスクの半径方向に内周と外周の間を移動するために必要な回転駆動力を生成する。フィードモータ１０３としてステッピングモータ、ＤＣモータなどが使用される。スクリューシャフト１０４は側面にらせん状の溝１０４ａが形成されており、直接または数段のギアを介してフィードモータ１０３に接続される。ここではスクリューシャフト１０４は直接フィードモータ１０３に接続されるものとした。ガイドシャフト１０５、１０６は光ピックアップ１０７を移動自在に支持する。スクリューシャフト１０４に近い方のガイドシャフト１０５は両端で支持部材１０９、１１０を介してベース１０１に固定される。スクリューシャフト１０４から遠い方のガイドシャフト１０６は両端で支持部材１１１、１１２を介してベース１０１に固定される。光ピックアップ１０７はスクリューシャフト１０４の溝１０４ａと噛み合う歯１０８ｄを有するラック１０８を介してスクリューシャフト１０４と接続される。ラック１０８がスクリューシャフト１０４に伝達されたフィードモータ１０３の回転駆動力を直線駆動力に変換する。そのため光ピックアップ１０７は光ディスクの半径方向に内周と外周の間を移動することができる。
【０００４】
光ピックアップ１０７は光ディスクに対し情報の記録または再生の少なくとも一方を行うために光ディスクに向けてレーザ光を出射する。光ピックアップ１０７から出射されるレーザ光が光ディスクに対し直角に入射するように、支持部材１０９、１１１、１１２を構成する調整機構でガイドシャフト１０５、１０６の傾きを調整する。
【０００５】
ラック１０８は、光ピックアップ１０７に取り付けられる取り付け部１０８ａと、スクリューシャフト１０４の溝１０４ａと噛み合う歯１０８ｄを有する歯部１０８ｂと、取り付け部１０８ａと歯部１０８ｄとを連結するヒンジ１０８ｃとを備える。取り付け部１０８ａと歯部１０８ｂとの間にバネ１０８ｅを圧縮して配置し、歯１０８ｄをスクリューシャフト１０４に押し付ける。
【０００６】
（特許文献１）ではさらに逆Ｌ字型の樹脂バネをバネ１０８ｅの両側に配置し、歯１０８ｄはバネ１０８ｅの弾性力に加えて樹脂バネの弾性力でより強く溝１０４ａに押し付けられるようにした。そのため、通常動作状態ではより安定して歯１０８ｄと溝１０４ａとの噛み合いが得られる。また、強い衝撃が外部から加わったときは歯１０８ｄが溝１０４ａから外れ、ヒンジ１０８ｃの破損を防ぐ。
【特許文献１】特開２００３−５９２１２号公報
【発明の開示】
【発明が解決しようとする課題】
【０００７】
ところが、外部からの強い衝撃が加わる向きによって、歯１０８ｄが溝１０４ａから外れる力が異なる。図１０は外部から衝撃力が加わった場合のラックとスクリューシャフトへの力の加わり方を示す図である。図１０（ａ）は衝撃力がない場合、（ｂ）は左方から衝撃力が加わった場合、（ｃ）は右方から衝撃力が加わった場合である。図１０（ａ）、（ｂ）、（ｃ）とも左側は歯部１０８ｂ側からスクリューシャフト１０４側を見た正面図、右側は側面図である。
【０００８】
図１０（ａ）に示すように衝撃力がない場合は、歯１０８ｄは溝１０４ａに収まった状態である。図１０（ｂ）に示すように、スクリューシャフト１０４は固定のまま、外部からの衝撃力が左側の図の左方から加わった場合、ラック１０８には右方に動こうとする力が加わり、溝１０４ａの内部を右方へ動き壁面に当たる。しかし、スクリューシャフト１０４は動かないので、ラック１０８は右上方へ動こうとする。その際、右側の図に示すように矢印の方向にヒンジ１０８ｃを圧縮する力が働くため、ヒンジ１０８ｃからの反発力が働く。また点線のように姿勢が変化する。そのためラック１０８の歯１０８ｄは動きにくく、溝１０４ａから外れにくい。
【０００９】
一方、図１０（ｃ）に示すように、左側の図の右方から衝撃力が加わった場合、ラック１０８には左方に動こうとする力が加わり、溝１０４ａの内部を左方へ動き壁面に当たる。しかし、スクリューシャフト１０４は動かないので、ラック１０８は左下方へ動こうとする。その際、右側の図に示すように矢印の方向にヒンジ１０８ｃを引っ張る力が働く。また、点線のように姿勢が変化する。そのためヒンジ１０８ｃはそのような力に対し動きやすく、比較的容易に歯１０８ｄは溝１０４ａから外れる。このように歯１０８ｄが溝１０４ａから外れにくく、動きにくい方向と外れやすく、動きやすい方向がある。
【００１０】
歯１０８ｄが溝１０４ａから外れにくい方向の外部から強い衝撃力が加わった場合、あまりに歯１０８ｄが溝１０４ａから外れないと、ヒンジ１０８ｃや歯１０８ｄが破損してしまい、最悪正常な動作ができなくなってしまう恐れがある。（特許文献１）においても外部から強い衝撃が加わった場合に歯１０８ｄが溝１０４ａから外れる配慮をしているものの、衝撃の方向によっては外れない可能性がある。
【００１１】
本発明は、上記問題点を解決するもので、外部から強い衝撃が加わった場合、その方向にあまりよらずラックの歯がスクリューシャフトの溝から外れるようにし、ヒンジや歯が破損しにくい光ディスク装置を提供するものである。
【課題を解決するための手段】
【００１２】
上記目的を達成するために本発明は、光ディスクにレーザ光を出射し前記光ディスクの記録面で反射した前記レーザ光を受光する光ピックアップと、前記光ピックアップを前記光ディスクの半径方向に駆動する回転駆動力を発生するフィードモータと、前記フィードモータに直接またはギアを介して接続され側面にらせん状の溝を備えたスクリューシャフトと、前記光ピックアップを移動自在に支持する１対のガイドシャフトと、前記光ピックアップに取り付けられる取り付け部と前記スクリューシャフトの溝と噛み合い前記回転駆動力を直線駆動力に変換する歯を有する歯部と前記取り付け部と前記歯部とを前記レーザ光を出射する側または反対側の少なくとも一方から連結するヒンジとを備えたラックと、を備え、前記ヒンジに隣接して前記取り付け部に前記スクリューシャフトに向けて突出した凸部を設け、前記凸部の前記ヒンジに対向する面はスクリューシャフトに近づくほど前記ヒンジに近づき前記歯部の前記スクリューシャフトに対向する面よりもわずかに前記スクリューシャフトに近づく光ディスク装置とした。これにより、凸部をガイドとして歯部をスクリューシャフトから離すことができる。
【発明の効果】
【００１６】
本発明の光ディスク装置は、外部から強い衝撃力が加わった場合、その方向にあまりよらずラックの歯がスクリューシャフトの溝から外れることができる。そのため、ヒンジや歯が破損しにくく、動作不良を起こしにくい。
【発明を実施するための最良の形態】
【００１７】
本発明の第１の発明は光ディスクにレーザ光を出射し光ディスクの記録面で反射したレーザ光を受光する光ピックアップと、光ピックアップを光ディスクの半径方向に駆動する回転駆動力を発生するフィードモータと、フィードモータに直接またはギアを介して接続され側面にらせん状の溝を備えたスクリューシャフトと、光ピックアップを移動自在に支持する１対のガイドシャフトと、光ピックアップに取り付けられる取り付け部とスクリューシャフトの溝と噛み合い回転駆動力を直線駆動力に変換する歯を有する歯部と取り付け部と歯部とをレーザ光を出射する側または反対側の少なくとも一方から連結するヒンジとを備えたラックと、を備え、ヒンジに隣接して取り付け部にスクリューシャフトに向けて突出した凸部を設け、凸部のヒンジに対向する面はスクリューシャフトに近づくほどヒンジに近づき歯部のスクリューシャフトに対向する面よりもわずかにスクリューシャフトに近づく光ディスク装置である。これにより、凸部をガイドとして歯部をスクリューシャフトから離すことができる。
【００２５】
第２の発明は、光ディスクにレーザ光を出射し光ディスクの記録面で反射したレーザ光を受光する光ピックアップと、光ピックアップを光ディスクの半径方向に駆動する回転駆動力を発生するフィードモータと、フィードモータに直接またはギアを介して接続され側面にらせん状の溝を備えたスクリューシャフトと、光ピックアップを移動自在に支持する１対のガイドシャフトと、光ピックアップに取り付けられる取り付け部とスクリューシャフトの溝と噛み合い回転駆動力を直線駆動力に変換する歯を有する歯部と取り付け部と歯部とをレーザ光を出射する側または反対側の少なくとも一方から連結するヒンジとを備えたラックと、を備え、ヒンジに隣接して取り付け部にスクリューシャフトに向けて突出した凸部を設け、凸部のヒンジに対向する面とヒンジとの距離はスクリューシャフト側で短く、凸部のヒンジに対向する面とスクリューシャフトとの距離のうちもっとも短い距離は歯部のスクリューシャフトに対向する面とスクリューシャフトとの距離よりもわずかに短い光ディスク装置である。これにより、凸部をガイドとして歯部をスクリューシャフトから離すことができる。
【００２６】
（実施の形態１）
本発明の実施の形態１を図面を参照しながら説明する。図１は本実施の形態１の光ディスク装置の光ディスクおよび光ピックアップを駆動する駆動機構の構成図、図２は本実施の形態１の光ディスク装置の構成図、図３は本実施の形態１の光ディスク装置のラックを介して光ピックアップとスクリューシャフトが接続された状態を示す図である。光ディスク装置２０の光ディスク（図示せず）および光ピックアップ８を駆動する駆動機構を光ピックアップモジュール１という。光ピックアップ８は光ディスクにレーザ光を出射し、光ディスクの記録面で反射されたレーザ光を受光する。ベース２は光ピックアップモジュール１の骨組みを成すもので、このベース２に直接的、間接的に各構成部品が固定される。光ディスクを載置するターンテーブルを備えたスピンドルモータ３はベース２に固定される。スピンドルモータ３は光ディスクを回転させる回転駆動力を生成する。
【００２７】
フィードモータ４はベース２に固定される。フィードモータ４は光ピックアップ８が光ディスクの半径方向に内周と外周の間を移動するために必要な回転駆動力を生成する。フィードモータ４としてステッピングモータ、ＤＣモータなどが使用される。スクリューシャフト５は側面５ｅにらせん状の溝５ａが形成されており、直接または数段のギアを介してフィードモータ４に接続される。本実施の形態１ではスクリューシャフト５は直接フィードモータ４に接続されるものとした。ガイドシャフト６、７は光ピックアップ８を移動自在に支持する。スクリューシャフト５に近い方のガイドシャフト６は両端で支持部材１０、１１を介してベース２に固定される。スクリューシャフト５から遠い方のガイドシャフト７は両端で支持部材１２、１３を介してベース２に固定される。光ピックアップ８はスクリューシャフト５の溝５ａと噛み合う歯９ｄを有するラック９を介してスクリューシャフト５と接続される。スクリューシャフト５に伝達されたフィードモータ４の回転駆動力をラック９が直線駆動力に変換する。そのため光ピックアップ８は光ディスクの半径方向に内周と外周の間を移動することができる。
【００２８】
光ピックアップ８は光ディスクに対し情報の記録または再生の少なくとも一方を行うために光ディスクに向けてレーザ光を出射する。光ピックアップ８から出射されるレーザ光が光ディスクに対し直角に入射するように、支持部材１０、１２、１３を構成する調整機構でガイドシャフト６、７の傾きを調整する。
【００２９】
上部筐体２１ａと下部筐体２１ｂを組み合わせてネジなどを用いて互いに固定して筐体２１とする。トレイ２２は筐体２１に出没自在に設けられる。トレイ２２はカバー１４を取り付けた光ピックアップモジュール１を下面側から配置する。カバー１４は開口を有し、光ピックアップ８の対物レンズを含む一部とスピンドルモータ３のターンテーブルを露出させる。本実施の形態１の場合、フィードモータ４も露出させる。ベゼル２３をトレイ２２の前端面に設け、トレイ２２が筐体２１内に収納された時に、トレイ２２の出没口を塞ぐようにする。
【００３０】
ベゼル２３にはイジェクトスイッチ２４が設けられ、イジェクトスイッチ２４を押すことで、筐体２１とトレイ２２との係合が解除され、トレイ２２は筐体２１に対し出没が可能な状態となる。レール２５はそれぞれトレイ２２の両側部および筐体２１の双方に摺動自在に取り付けられる。
【００３１】
筐体２１の内部やトレイ２２の内部には図示していない回路基板があり、信号処理系のＩＣや電源回路などが搭載されている。図示していない外部コネクタ２６はコンピュータ等の電子機器に設けられた電源／信号ラインと接続される。そして、外部コネクタ２６を介して光ディスク装置２０内に電力を供給したり、外部からの電気信号を光ディスク装置２０内に導いたり、あるいは光ディスク装置２０で生成された電気信号を外部の電子機器などに送出したりする。
【００３２】
ラック９は、光ピックアップ８に取り付けられる取り付け部９ａと、スクリューシャフト５の溝５ａと噛み合う歯９ｄを有する歯部９ｂと、取り付け部９ａと歯部９ｄとを連結するヒンジ９ｃとを備える。ヒンジ９ｃはレーザ光を出射する側または反対側の少なくとも一方に配置される。取り付け部９ａと歯部９ｂとの間にバネ９ｅを圧縮して配置し、歯９ｄをスクリューシャフト５に押し付ける。ラック９は強度を保つために取り付け部９ａと歯９ｄを有する歯部９ｂとヒンジとを一体で作製するのが望ましい。しかしそれに限るものではなく、それぞれを別体で作製し、接着等の方法で固定しても良い。また、歯部９ｂは取り付け部９ａに対しある程度動くことが必要である。このことからラック９を構成する材料はプラスチック、樹脂等の弾性や可撓性を持つ材料が望ましい。本実施の形態１ではラック９はポリアセタール樹脂で作製した。
【００３３】
本実施の形態１ではさらに凸部９ｆを設けた。凸部９ｆはヒンジ９ｃに隣接して取り付け部９ａからスクリューシャフト５に向けて突出するように設けた。凸部９ｆのヒンジ９ｃに対向する面９ｇはスクリューシャフトに近づくほどヒンジ９ｃに近づくようにする。さらに凸部９ｆのヒンジ９ｃに対向する面９ｇは歯部９ｂのスクリューシャフト５に対向する面よりもわずかにスクリューシャフト５に近づくようにする。凸部９ｆの先端がスクリューシャフト５に近すぎると凸部９ｆ自体がスクリューシャフト５と接触する恐れが出てくる。逆に歯部９ｂのスクリューシャフト５に面した面よりもスクリューシャフト５から離れると後述する歯部９ｂを案内する働きが確保できなくなってしまう。そのため、本実施の形態１では歯部９ｂの両端を切り欠いた。それにより凸部９ｆのヒンジ９ｃに対向する面９ｇはあまりスクリューシャフト５の近くまで突出せずに、歯部９ｂのスクリューシャフト５に対向する面よりもわずかにスクリューシャフト５に近づくようにできる。
【００３４】
なお、本実施の形態１では歯部９ｂの両端を切り欠いたが、それに限るものではなく、切り欠かずに単純な板状としても良い。また、図３では凸部９ｆのヒンジ９ｃに対向する面９ｇは平面として描いているが、平面である必要はない。例えば、スクリューシャフト５に近いほどより急峻にヒンジ９ｃに近づくような曲面としても良い。また、途中から取り付け部９ａに近づくほどヒンジ９ｃに近づくようにしても良い。そうすれば凸部９ｆの取り付け部９ａに対する取り付けの強度を増すことができる。
【００３５】
スクリューシャフト５は溝５ａを形成するため切削性が良く、剛性が高い材料が望ましい。本実施の形態１ではスクリューシャフト５はステンレスで作製した。溝５ａは底部５ｂと両壁面５ｃ、５ｄからなるが、設計によっては底部５ｂを設けず、両壁面５ｃ、５ｄのみで構成しても良い。
【００３６】
図４は本実施の形態１の凸部の機能を示す図である。溝の進行する方向は時計回りである。ヒンジ９ｃは紙面奥側とした。外部から衝撃力が紙面左上方から加わる場合ラック９は紙面右下方へ動こうとするが、それはヒンジ９ｃを圧縮する方向であるので動きにくい。そのためラック９のヒンジ９ｃが変形して歯部９ｂが紙面左上方へ動く。歯部９ｂの左端は動き始めるとすぐに凸部９ｆのヒンジ９ｃに対向する面９ｇに当たる。凸部９ｆのヒンジ９ｃに対向する面９ｇはスクリューシャフト５に近いほどヒンジ９に近くなるように形成されているので、歯部９ｂの紙面左上方に変形しようとする力は取り付け部９ａに近づく力に変換される。すなわちそれは歯９ｄを溝５ａから離そうとする力であり、歯９ｄは溝５ａから容易に外れる。
【００３７】
逆方向に衝撃力が加わった場合は、元々が歯９ｄが溝９ａから外れやすい方向であるため、特に凸部９ｆを設ける必要はない。しかし反対側に凸部９ｆを設けることにより、さらに外れやすくすることができる。
【００３８】
このように本実施の形態１の光ディスク装置は外部から強い衝撃力が加わった場合に歯９ｄが溝５ａから外れにくいとされる方向でもヒンジ９ｃや歯９ｄが破損する前に歯９ｄが溝５ａから外れるためにヒンジ９ｃや歯９ｄを破損しにくい。
【００３９】
なお、本実施の形態１の凸部９ｆは単独で用いる必要はなく、実施の形態２から実施の形態４の内容と組み合わせて用いても構わない。
【００４０】
（実施の形態２）
本実施の形態２について図面を参照しながら説明する。図５は本実施の形態２の光ディスク装置のラックを介して光ピックアップとスクリューシャフトが接続された状態を示す図である。本実施の形態２においてスクリューシャフト５とラック９を除いた光ピックアップ８を始めとする各部品、光ピックアップモジュール１、光ディスク装置２０は実施の形態１と同じであり、その説明を援用する。ラック９は凸部９ｆがないものであり、それを除いては実施の形態１と同じであり、その説明を援用する。スクリューシャフト５は溝５ａの壁面５ｃ、５ｄを除いては実施の形態１と同じであり、その説明を援用する。
【００４１】
図５において溝の進行する方向は時計回りであり、ヒンジ９ｃは紙面手前側である。その結果、外部からの衝撃力が左方から加わる場合はラック９は動きやすいが、右方から加わる場合、ラック９は動きにくい。スクリューシャフト５の側面５ｅと溝５ａの壁面５ｃとのなす角をθ１、側面５ｅと壁面５ｄとのなす角をθ２とする。θ１＞θ２とし、θ２が従来通りの角度とするとラック９が右方から左方へ移動しようとする場合にθ１が大きいために歯９ｄは溝５ａから外れやすくなる。逆に左方から右方へ移動しようとする場合にθ２は従来通りであるので外れやすさも従来通りである。そのため相対的に右方から左方へ移動しようとする場合に比べて歯９ｄは溝５ａから外れにくい。この２つを合わせることにより外部からの衝撃力が右方から加わる場合、ラック９自体は動きにくいものの、側面５ｅと壁面５ｃのなす角が従来の場合より大きいため歯９ｄが溝５ａから外れやすくなる。逆方向の場合、歯９ｄは従来通りの溝５ａからの外れやすさである。したがって、外部からの衝撃力に対して歯９ｄが溝５ａから外れにくい方向のみ外れやすくすることができ、ヒンジ９ｃや歯９ｄが破損する前に歯９ｄを溝５ａから外すことができる。
【００４２】
ヒンジ９ｃの位置が紙面奥側の場合、θ１＜θ２とすることで、同じ効果が得られる。また、溝の進行する方向が逆の場合も同様に、ラック９の動きにくい方向と歯９ｄが溝５ａから外れやすい方向とを組み合わせることが望ましい。
【００４３】
また、θ１＜θ２としても構わない。θ１を従来よりも大きい角度とすれば従来よりは歯９ｄが溝５ａから外れやすくなるためである。
【００４４】
なお、スクリューシャフト５の溝５ａは通常バイトで切削して形成する。バイトの刃先の形状をあらかじめθ１、θ２に合わせて形成しておけば、工程が増えることなくスクリューシャフト５を作製できる。
【００４５】
また、本実施の形態２ではθ１を従来よりも大きく、θ２を従来並の角度にしたが、それに限るものではなく、θ２は従来よりも大きくしても良いし、小さくしても良い。それによって外部からの衝撃力が左方から右方へ加わった場合の歯９ｄが溝５ａからの外れやすさを制御することができる。
【００４６】
このように本実施の形態２の光ディスク装置は外部から強い衝撃力が加わった場合に歯９ｄが溝５ａから外れにくいとされる方向でもヒンジ９ｃや歯９ｄが破損する前に歯９ｄが溝５ａから外れるためにヒンジ９ｃや歯９ｄを破損しにくい。
【００４７】
なお、本実施の形態２のスクリューシャフト５の溝５ａの形状は単独で用いる必要はなく、実施の形態１、実施の形態３、実施の形態４の内容と組み合わせて用いても構わない。例えば、実施の形態１の凸部９ｆと組み合わせることにより、さらに効果的にヒンジ９ｃや歯９ｄを破損しにくくすることができる。
【００４８】
（実施の形態３）
本実施の形態３について図面を参照しながら説明する。図６は本実施の形態３の光ディスク装置のラックを介して光ピックアップとスクリューシャフトが接続された状態を示す図である。本実施の形態３においてラック９を除いた光ピックアップ８を始めとする各部品、光ピックアップモジュール１、光ディスク装置２０は実施の形態１と同じであり、その説明を援用する。ラック９は凸部９ｆがなく、ヒンジ９ｃの取り付け位置が異なるものの、それを除いては実施の形態１と同じであり、その説明を援用する。
【００４９】
本実施の形態３において溝の進行する方向は反時計回りである。ヒンジ９ｃのうち右側は紙面奥側、左側は紙面手前側とした。外部からの衝撃力が紙面左上方より加わった場合、ラック９は紙面右下方へ動こうとする。その際、歯９ｄは紙面右下方へ動こうとすると同時に溝５ａに沿って紙面手前側にも動こうとする。この方向は右側のヒンジ９ｃを引っ張る方向、左側のヒンジ９ｃを圧縮する方向である。したがって、歯９ｄの溝５ａからの外れやすさはヒンジ９ｃが両方とも紙面手前側にある場合よりも外れやすく、両方とも紙面奥側にある場合よりも外れにくい。
【００５０】
一方、外部からの衝撃力が紙面右下方より加わった場合、ラック９は紙面左上方へ動こうとする。その際、歯９ｄは紙面右上方へ動こうとすると同時に溝５ａに沿って紙面奥側にも動こうとする。この方向は左側のヒンジ９ｃを引っ張る方向、右側のヒンジ９ｃを圧縮する方向である。したがって、歯９ｄの溝５ａからの外れやすさはヒンジ９ｃが両方とも紙面手前側にある場合よりも外れにくく、両方とも紙面奥側にある場合よりも外れやすい。このようにバネ９ｅを中心に１対のヒンジ９ｃを略点対称の位置に配置することにより、歯９ｄの溝５ａからの外れやすさはヒンジ９ｃが両方とも紙面手前側にある場合よりも外れやすく、両方とも紙面奥側にある場合よりも外れにくくすることができる。
【００５１】
なお、ヒンジ９ｃの位置は右側を紙面手前側、左側を紙面奥側としても良い。また、溝の進行する方向が逆になっても同様である。
【００５２】
本実施の形態３において歯９ｄと溝５ａ、ヒンジ９ｃの位置関係はバネ９ｅを中心とした略点対称となっている。このような構成とすることでスクリューシャフト５の回転をさせずに光ピックアップ８を光ディスクの内周から外周方向へ移動させる力と外周から内周へ移動させる力とを略等しくすることができる。その結果として、外部からの衝撃力が加わる方向によらずヒンジ９ｃや歯９ｄを破損させにくくすることができる。
【００５３】
このように本実施の形態３の光ディスク装置は外部のどちらの方向から強い衝撃力が加わってもヒンジ９ｃや歯９ｄが破損する前に歯９ｄが溝５ａから外れるためにヒンジ９ｃや歯９ｄを破損しにくい。しかも、本実施の形態３の場合、歯９ｄの溝５ａからの外れやすさは外部のどちらの方向から加わっても同等レベルである。したがって、強度設計をしやすい。
【００５４】
なお、本実施の形態３のヒンジ９ｃの取り付けは単独で用いる必要はなく、実施の形態１、実施の形態２、実施の形態４と組み合わせて用いても構わない。例えば、両ヒンジ９ｃに隣接してそれぞれ実施の形態１の凸部９ｆを設けても良い。どちらの方向の外部から衝撃力が加わっても同等に実施の形態１と実施の形態２の効果が得られるため、ヒンジ９ｃや歯９ｄを破損しにくくする効果は非常に大きい。
【００５５】
（実施の形態４）
本実施の形態４について図面を参照しながら説明する。図７は本実施の形態４の光ディスク装置のガイドシャフトの支持状態を示す図である。本実施の形態４において支持部材１１、ラック９を除いて各部品、光ピックアップモジュール１、光ディスク装置２０は実施の形態１と同じであり、その説明を援用する。ラック９は実施の形態２のラック９と同じでありその説明を援用する。
【００５６】
支持部材１０、１１、１２、１３のうち支持部材１１はスクリューシャフト５に近い側のガイドシャフト６を挿入する穴１１ａがあけられている。支持部材１１はポリアセタール樹脂等の樹脂で作製される。ガイドシャフト６の一端を穴１１ａに挿入するとガイドシャフト６はほとんど動かない程度にガイドシャフト６の一端と穴１１ａのクリアランスが設けられている。ガイドシャフト６を穴１１ａに挿入した状態で孔１１ｃを貫挿した図示しないネジで支持部材１１がベース２に固定される。
【００５７】
穴１１ａのスクリューシャフト５と反対側に弾性部材１１ｂを配置する。弾性体１１ｂは図７（ａ）に示すようなゴムやシリコンゴム等、図７（ｂ）に示すような板バネ等、図７（ｃ）に示すようなコイルバネ等である。ガイドシャフト６の一端が挿入された状態では弾性体１１ｂはガイドシャフト６によって圧縮された状態とする。そうすることでガイドシャフト６は通常状態では動きにくい状態とすることができる。外部から衝撃力が加わるとラック９は歯９ｄがスクリューシャフト５の溝５ａから外れる方向、すなわちスクリューシャフト５からガイドシャフト６へ向かう方向に力は加わる。支持部材１１は弾性部材１１ｂを介してガイドシャフト６の一端を支持しており、強い衝撃力が加わるとガイドシャフト６は弾性部材１１ｂを変形させてスクリューシャフト５から逃げる方向に動く。その時、歯９ｄが溝５ａから外れる。衝撃力が取り去られると、ガイドシャフト６は弾性部材１１ｂの反発力で元の位置に戻る。
【００５８】
このように本実施の形態４の光ディスク装置は外部から強い衝撃力が加わった場合にヒンジ９ｃや歯９ｄが破損する前に支持部材１１の弾性部材１１ｂが変形して力を逃がし、歯９ｄが溝５ａから外れるためにヒンジ９ｃや歯９ｄを破損しにくい。また、弾性部材１１ｂの弾性力でガイドシャフト６の位置が元に戻る。
【００５９】
なお、本実施の形態４のガイドシャフト６の一端を可動にする支持部材１１は単独で用いる必要はなく、例えば、支持部材１０もガイドシャフト６を可動にする構成としても良い。また、実施の形態１から実施の形態３の内容と組み合わせて用いても構わない。
【産業上の利用可能性】
【００６０】
以上のように本発明の光ディスク装置は外部から強い衝撃力が加わっても部品が破損する恐れが小さいため、特に可搬型のノートブック型ＰＣに好んで搭載される。
【図面の簡単な説明】
【００６１】
【図１】本実施の形態１の光ディスク装置の光ディスクおよび光ピックアップを駆動する駆動機構の構成図
【図２】本実施の形態１の光ディスク装置の構成図
【図３】本実施の形態１の光ディスク装置のラックを介して光ピックアップとスクリューシャフトが接続された状態を示す図
【図４】本実施の形態１の凸部の機能を示す図
【図５】本実施の形態２の光ディスク装置のラックを介して光ピックアップとスクリューシャフトが接続された状態を示す図
【図６】本実施の形態３の光ディスク装置のラックを介して光ピックアップとスクリューシャフトが接続された状態を示す図
【図７】本実施の形態４の光ディスク装置のガイドシャフトの支持状態を示す図
【図８】従来の光ディスク装置の光ディスクおよび光ピックアップを駆動する駆動機構の構成図
【図９】ラックを介して光ピックアップとスクリューシャフトが接続された状態を示す図
【図１０】外部から衝撃力が加わった場合のラックとスクリューシャフトへの力の加わり方を示す図
【符号の説明】
【００６２】
１    光ピックアップモジュール
２    ベース
３    スピンドルモータ
４    フィードモータ
５    スクリューシャフト
５ａ    溝
５ｂ    底部
５ｃ、５ｄ    壁面
５ｅ    側面
６、７    ガイドシャフト
８    光ピックアップ
９    ラック
９ａ    取り付け部
９ｂ    歯部
９ｃ    ヒンジ
９ｄ    歯
９ｅ    バネ
９ｆ    凸部
９ｇ    ヒンジに対向する面
１０、１１、１２、１３    支持部材
１１ａ    穴
１１ｂ    弾性部材
１１ｃ    孔
１４    カバー
２０    光ディスク装置
２１    筐体
２２    トレイ
２３    ベゼル
２４    イジェクトスイッチ
２５    レール
２６    外部コネクタ
【図１】
0004419925.tif 000002
【図２】
0004419925.tif 000003
【図３】
0004419925.tif 000004
【図４】
0004419925.tif 000005
【図５】
0004419925.tif 000006
【図６】
0004419925.tif 000007
【図７】
0004419925.tif 000008
【図８】
0004419925.tif 000009
【図９】
0004419925.tif 000010
【図１０】
0004419925.tif 000011